(57)【要約】 【課題】  入退室時の個人認証を行う際にその都度ネットワークを介して生体情報を集中管理装置に対して要求する必要がなく、ネットワークに障害が発生した場合でも入退室管理を実現でき、生体認証装置内部に格納された利用者個人の生体情報が外部に流出する危険性がない高いセキュリティを実現できる入退室制御装置およびそれを用いた入退室管理システムの提供。【解決手段】  生体情報認証装置３は、読み取った個人生体情報１４Ｂと制御部１５から送信された登録生体情報１６Ｂを比較照合し、照合処理が終了後速やかに、読み取った個人生体情報１４Ｂと制御部１５から送信された登録生体情報１６Ｂを生体情報認証装置３内部から消去する。照合結果は制御部１５に送信され、符合した場合、制御部１５は施開錠部７を制御し扉５の開錠を行い、利用者は部屋４に入室が可能となる。この時、制御部１５は利用者の入室履歴を入退室履歴情報１６Ｃとして記憶部１６に格納する。【選択図】  図１
2009281035.tif 000002
【特許請求の範囲】
【請求項１】
利用者の個人認証を行い、認証結果に基づいて、前記利用者の部屋への入退室を制御する入退室制御装置であって、前記利用者の登録ＩＤ情報と前記登録ＩＤ情報に関連づけられた登録生体情報とを格納する記憶部と、前記部屋の外部に設置されたカードリーダによって前記利用者の携帯するカードから読み取った前記利用者の個人ＩＤと前記記憶部に格納された前記登録ＩＤ情報とを照合しかつ前記登録生体情報を検索する制御部を備え、前記部屋の内部に設置されてなることを特徴とする入退室制御装置。
【請求項２】
前記制御部は、検索した前記登録生体情報を前記部屋の外部に設置された生体情報認証装置に送信し、前記生体情報認証装置で読み取られた前記利用者の生体情報と前記登録生体情報との照合の結果を前記生体情報認証装置から受信し、前記照合の結果に応じて前記部屋に設置された扉の施開錠を行うことを特徴とする請求項１に記載の入退室制御装置。
【請求項３】
前記記憶部は、前記利用者の入退室の履歴情報を保持し、前記部屋の外部に設置された集中管理装置からの履歴情報の収集要求に応じて、前記集中管理装置内部の入退室履歴記憶部に履歴情報を送信し、前記履歴情報を前記入退室履歴記憶部に送信後、前記保持していた履歴情報を消去することを特徴とする請求項１ないし請求項２に記載の入退室制御装置。
【請求項４】
利用者の個人認証を行い、認証結果に基づいて、前記利用者の部屋への入退室を管理する入退室管理システムであって、情報登録制御部を備える集中管理装置と、前記利用者の個人ＩＤを前記情報登録制御部に入力するＩＤ情報登録装置と、前記利用者の生体情報を前記情報登録制御部に入力する生体情報登録装置と、前記部屋の外部に設置され前記利用者が携帯するカードから個人ＩＤを読み取る入室用カードリーダおよび前記部屋の内部に設置され前記利用者が携帯するカードから個人ＩＤを読み取る退室用カードリーダと、前記部屋の外部に設置され前記利用者の生体情報を読み取る生体情報認証装置と、前記集中管理装置とネットワークにより接続され、かつ前記部屋の内部に設置された入退室制御装置と、前記部屋に設置された扉の施開錠を行う施開錠部とからなり、前記入退室制御装置は、前記情報登録制御部から送信される前記個人ＩＤと前記生体情報を登録ＩＤ情報および登録生体情報として格納する記憶部を備え、前記入室用カードリーダが読み取った前記個人ＩＤと前記登録ＩＤ情報とを照合し、前記個人ＩＤに１対１に関連づけられる前記登録生体情報を検索して前記登録生体情報を前記生体情報認証装置に送信し、前記生体情報認証装置が読み取った前記生体情報と前記登録生体情報とを照合した結果を前記生体情報認証装置から受信し、前記照合の結果に応じて前記施開錠部を制御する信号を送信する制御部を備えることを特徴とする入退室管理システム。
【請求項５】
前記制御部は、前記利用者が退室しようとする場合に、前記退室用カードリーダが読み取った前記個人ＩＤと前記登録ＩＤ情報とを照合し、前記照合の結果に応じて前記施開錠部を制御することを特徴とする請求項４に記載の入退室管理システム。
【請求項６】
前記入退室制御装置において、前記利用者の入退室の履歴情報を保持し、前記部屋の外部に設置された集中管理装置からの履歴情報の収集要求に応じて、前記集中管理装置内部の入退室履歴記憶部に履歴情報を送信し、前記履歴情報を前記入退室履歴記憶部に送信後、前記保持していた履歴情報を消去することを特徴とする請求項４ないし５に記載の入退室管理システム。
【請求項７】
前記生体情報認証装置は、前記利用者個人の前記生体情報と前記登録生体情報とを照合した後、前記利用者個人の前記生体情報と前記登録生体情報とを保持しないことを特徴とする請求項４ないし請求項６に記載の入退室管理システム。
【発明の詳細な説明】
【技術分野】
【０００１】
本発明は、個人認証を行い、認証情報に基づいて扉の施開錠を制御する入退室制御装置および該入退出制御装置を用いた入退室管理システムに関する。
【背景技術】
【０００２】
従来、入退室時にセキュリティを必要とする部屋の入退室管理システムにおいて、部屋への入退室希望者（以下、「利用者」と記す）が携帯するカードに登録されたＩＤ情報（以下、「個人ＩＤ」と記す）を用いて個人認証を行い、入退室を許可または拒否する入退室制御装置が知られており、例えば特許文献１に開示されている。
【０００３】
さらに、セキュリティを向上させる目的で、カードに登録された個人ＩＤ以外に、利用者個人の生体情報（指紋、静脈、虹彩、声紋等）を併用して個人認証を行い、入退室を管理するシステムも近年提案されてきており、例えば集中管理装置により集中管理されるシステムが特許文献２に、集中管理装置を用いないシステムが特許文献３に開示されている。
【０００４】
以下、図面を用いて従来の入退室管理システムについて説明する。
【０００５】
（従来例１）
図２は、従来例１の入退室管理システムの構成を示すブロック図である。従来例１の入退室管理システムにおいては、利用者が入室あるいは退室しようとする部屋２４の外部に設置される入室用カードリーダ２２および生体情報認証装置２３と、部屋２４の扉２５と、扉の施開錠部２６と、部屋２４の内部に設置される退室用カードリーダ２１および制御部３１と、制御部３１とネットワーク２９を介して接続される集中管理装置２７から構成される。
【０００６】
集中管理装置２７は、部屋２４を含む管理すべき全部屋に対する全利用者の登録ＩＤ情報２８Ａおよび登録生体情報２８Ｂを格納した記憶部２８を備えている。以下は、説明を簡便化するため、利用者１名は部屋２４に入退室を許可されているものとし、記憶部２８に格納される該利用者１名の登録ＩＤ情報を１２８Ａ、おなじく該利用者１名の登録生体情報を１２８Ｂとして説明する。さらに、簡便のため、入室する場合についてのみ説明する。
【０００７】
このような従来例１の入退室管理システムにおいて、前記利用者が認証を行い入室しようとする場合には、まず利用者は、入室用カードリーダ２２に、情報記録媒体であるカード３０から個人ＩＤ３０Ａを読み取らせる。次に入室用カードリーダ２２は、読み取った利用者の個人ＩＤ３０Ａを制御部３１に送信し、制御部３１は、個人ＩＤ３０Ａをネットワーク２９を介して集中管理装置２７に送信する。
【０００８】
集中管理装置２７は、記憶部２８内にあらかじめ登録された全利用者の登録ＩＤ情報２８Ａと制御部３１から送信された個人ＩＤ３０Ａを照合する。全利用者の登録ＩＤ情報２８Ａの中に個人ＩＤ３０Ａと一致する１名の利用者の登録ＩＤ情報１２８Ａが確認された場合、集中管理装置２７は個人ＩＤ３０Ａと１対１に対応する登録生体情報１２８Ｂをネットワーク２９を介して生体情報認証装置２３に送信する。
【０００９】
次に、利用者は、生体情報認証装置２３に個人生体情報３０Ｂを読み取らせる。生体情報認証装置２３は、読み取った個人生体情報３０Ｂと集中管理装置２７から送信された１名の利用者の登録生体情報１２８Ｂを比較照合する。照合結果は制御部３１に送信され、個人読み取った生体情報３０Ｂと１名の利用者の登録生体情報１２８Ｂが一致した場合、制御部３１は、施開錠部２６を制御し扉２５の開錠を行う。
【００１０】
入室を許可された利用者が、部屋２４から退室しようとする場合には、利用者の個人ＩＤと登録ＩＤ情報の照合を行うために、退室用カードリーダ２１にカード３０から個人ＩＤ３０Ａを読み取らせれば、退室用カードリーダ２１は、制御部３１およびネットワーク２９を通して集中管理装置２７に個人ＩＤ３０Ａを送信し、集中管理装置２７は、登録ＩＤ情報２８Ａとの照合を行い、照合結果を制御部３１に送信し、施開錠部２６を制御して扉２５の開錠を行うための結果を送信し、利用者は退室すると共に、制御部３１は、利用者が退室したことを集中管理装置２７に送信する。
【００１１】
（従来例２）
図３は、集中管理装置を用いない従来例２の入退室管理システムの構成を示すブロック図である。このような従来例２の入退室管理システムにおいて、利用者が認証を行い入室しようとする場合には、まず利用者は部屋４４の外部に設置された入室用カードリーダ４２に、情報記録媒体であるカード４８から個人ＩＤ４８Ａを読み取らせる。入室用カードリーダ４２は、読み取った利用者の個人ＩＤ４８Ａを生体情報認証装置４３に送信する。
【００１２】
生体情報認証装置４３は、内部にあらかじめ登録された部屋４４の全利用者の登録ＩＤ情報４３Ａおよび登録生体情報４３Ｂを格納する記憶部を有し、入室用カードリーダ４２から送信された個人ＩＤ４８Ａを照合する。登録ＩＤ情報４３Ａに個人ＩＤ４８Ａと一致するものが確認された場合、生体情報認証装置４３は、個人ＩＤ４８Ａと１対１に対応する登録生体情報を生体情報認証装置４３内部の記憶部内の登録生体情報４３Ｂから検索する。
【００１３】
次に、利用者は、生体情報認証装置４３に生体情報を読み取らせる。生体情報認証装置４３は、読み取った生体情報と、生体情報認証装置４３内部の記憶部から検索した登録生体情報とを比較照合する。照合結果は制御部４７に送信され、読み取った生体情報と登録生体情報が一致した場合、制御部４７は、施開錠部４６を制御し扉４５の開錠を行う。
【００１４】
入室が許可されて入室していた利用者が、部屋４４から退室しようとする場合には、退室用カードリーダ４１にカード４８から個人ＩＤ４８Ａを読み取らせれば、退室用カードリーダ４１は、制御部４７に個人ＩＤ４８Ａを送信し、制御部４７は、登録ＩＤ情報４３Ａとの照合を行い、照合結果に基づいて、施開錠部４６を制御して扉４５の開錠を行うための結果を送信し、利用者は退室すると共に、制御部４７は、利用者が退室したことを記録する。
【００１５】
【特許文献１】特開平９−１８５７４０号公報
【特許文献２】特開２００２−２１３１２５号公報
【発明の開示】
【発明が解決しようとする課題】
【００１６】
しかしながら、従来例１のような入退室管理システムでは、全利用者の登録された個人ＩＤである登録ＩＤ情報２８Ａに関連付けされた生体情報２８Ｂを集中管理装置２７の記憶部２８に格納しているため、集中管理装置２７が故障などで停止した場合、またはネットワーク２９に障害が発生した際に集中管理装置２７が管理している全部屋の入退室が不可能となるという課題があった。また、全部屋に対する全利用者の生体情報２８Ｂの中から該当する利用者の個人ＩＤと対応した生体情報を検索するため検索に非常に時間がかかり、利用者が入退室をする際に煩わしさを感じるという課題があった。
【００１７】
また、従来例２のような入退室管理システムでは、部屋４４の外部に設置された生体認証装置４３に全利用者のＩＤ情報および生体情報が格納されているため、生体認証装置本体が盗まれる等して、生体認証装置内部の記憶部に格納されたＩＤ情報および生体情報が外部に容易に流出する危険性があるという課題があった。
【００１８】
本発明は上記の課題を解消するためになされたもので、本発明の目的は、入退室時の個人認証を行う際にその都度ネットワークを介して生体情報を集中管理装置に対して要求する必要がなく、ネットワークに障害が発生した場合でも入退室管理を実現できる入退室制御装置およびそれを用いた入退室管理システムを提供することにある。また、本発明の他の目的は、生体認証装置内部に格納された利用者個人の生体情報が外部に流出する危険性のない、すなわち高いセキュリティを実現できる入退室制御装置およびそれを用いた入退室管理システムを提供することにある。
【課題を解決するための手段】
【００１９】
本発明の入退室制御装置は、上記課題を解決するために、利用者の個人認証を行い、認証結果に基づいて、前記利用者の部屋への入退室を制御するもので、前記利用者の登録ＩＤ情報と前記登録ＩＤ情報に関連づけられた登録生体情報とを格納する記憶部と、前記部屋の外部に設置されたカードリーダによって前記利用者の携帯するカードから読み取った前記利用者の個人ＩＤと前記記憶部に格納された前記登録ＩＤ情報とを照合しかつ前記登録生体情報を検索する制御部を備え、前記部屋の内部に設置されてなることを特徴としている。
【００２０】
前記部屋は、通常は、外部から隔絶された閉空間であるが、例えば上部は、蓋われていなくても外部からの侵入が事実上不可能であれば問題はなく、隔絶には、壁、塀、堀等各種用いることが可能である。また、入退室の制御には、壁や塀に設置された扉の開放・閉鎖だけでなく、堀を跨ぐように橋を上下させるものであっても良い。
【００２１】
前記記憶部には、通常のパーソナルコンピュータ等で用いられる内部記憶装置、外部記憶装置および各種電子記憶媒体を用いることができる。前記制御部には、固定的な論理演算を行う電子回路や、ソフトウェアによって各種論理演算を行う電子機器等を用いることができる。
【００２２】
本発明の入退室制御装置における前記制御部は、検索した前記登録生体情報を前記部屋の外部に設置された生体情報認証装置に送信し、前記生体情報認証装置で読み取られた前記利用者に固有の生体情報と送信された前記登録生体情報との照合の結果を前記生体情報認証装置から受信し、前記照合結果に応じて前記部屋に設置された扉の施開錠を行うことを特徴としている。
【００２３】
前記扉の施開錠は、電子錠の開放・固定によりなされるものが使用できる。前記生体情報認証装置としては、指紋、静脈、虹彩、声紋等利用者に特有の生体情報を読み取り、登録生体情報と照合する電子装置が用いられる。
【００２４】
本発明の入退室制御装置における前記記憶部は、前記利用者の入退室の履歴情報を保持し、前記部屋の外部に設置された集中管理装置からの履歴情報の収集要求に応じて、前記集中管理装置内部の入退室履歴記憶部に履歴情報を送信し、前記履歴情報を前記入退室履歴記憶部に送信後、前記保持していた履歴情報を消去することを特徴としている。
【００２５】
前記集中管理装置は、通常は、入退室管理が行われる部屋を複数集中的に管理するもので、定期的に、ネットワークを介して、それぞれの部屋の入退室の履歴情報を収集して、前記集中管理装置内部の前記入退室履歴記憶部に保持される全部屋に関する履歴情報の更新を行う。一方、それぞれの部屋では、一旦、入退室の履歴情報を集中管理装置に送信して、履歴情報を消去してから後の入退室履歴情報を次に履歴情報の収集要求があるまでの間保持しており、例えば、履歴情報の収集要求時にネットワークに障害が生じても、ネットワークが復旧した後、最初の履歴情報の収集要求があるまでの間、入退室履歴情報を保持する。
【００２６】
本発明の入退室管理システムは、利用者の個人認証を行い、認証結果に基づいて、前記利用者の部屋への入退室を管理する入退室管理システムであって、情報登録制御部を備える集中管理装置と、前記利用者の個人ＩＤを前記情報登録制御部に入力するＩＤ情報登録装置と、前記利用者の生体情報を前記情報登録制御部に入力する生体情報登録装置と、前記部屋の外部に設置され前記利用者が携帯するカードから個人ＩＤを読み取る入室用カードリーダおよび前記部屋の内部に設置され前記利用者が携帯するカードから個人ＩＤを読み取る退室用カードリーダと、前記部屋の外部に設置され前記利用者の生体情報を読み取る生体情報認証装置と、前記集中管理装置とネットワークにより接続され、かつ前記部屋の内部に設置された入退室制御装置と、前記部屋の扉の施開錠を行う施開錠部とからなり、前記入退室制御装置は、前記情報登録制御部から送信される前記個人ＩＤと前記生体情報を登録ＩＤ情報および登録生体情報として格納する記憶部を備え、前記入室用カードリーダが読み取った前記個人ＩＤと前記登録ＩＤ情報とを照合し、前記個人ＩＤに１対１に関連づけられる前記登録生体情報を検索して前記登録生体情報を前記生体情報認証装置に送信し、前記生体情報認証装置が読み取った前記生体情報と前記登録生体情報とを照合した結果を前記生体情報認証装置から受信し、前記照合の結果に応じて前記施開錠部を制御する信号を送信する制御部を備えることを特徴としている。
【００２７】
前記ＩＤ情報登録装置は、入室用カードリーダあるいは退室用カードリーダと同様のものであって、予め利用者の携帯するカードから個人ＩＤを読み取るものである。前記生体情報登録装置は、基本的に前記生体情報認証装置の生体情報を読み取る機能のみを転用したものと考えてよい。前記情報登録制御部は、前記登録ＩＤ情報や前記登録生体情報を保持する機能を有する必要は特になく、前記ＩＤ情報登録装置および前記生体情報認証装置で読み取った前記個人ＩＤと前記生体情報とを１対１に関連付けて、それぞれ登録ＩＤ情報および登録生体情報として前記入退室管理装置にある前記記憶部に送信する機能を有する。すなわち、前記カードリーダから読み取った前記個人ＩＤと前記登録ＩＤ情報とを照合して、一致するものがあった場合には、前記個人ＩＤに１対１に関連付けられた登録生体情報の検索が行われ、次に生体情報の照合が行われる。
【００２８】
前記制御部は、前記利用者が退室しようとする場合に、前記退室用カードリーダが読み取った前記個人ＩＤと前記登録ＩＤ情報とを照合し、前記照合の結果に応じて前記施開錠部を制御することを特徴としている。
【００２９】
利用者が退室する場合には、生体情報の照合により部屋への入室が許可されたことが前提となっているので、改めて、生体情報の照合まで行う必要は、通常はない。
【００３０】
本発明の入退室管理システムの入退室制御装置は、前記利用者の入退室の履歴情報を保持し、前記部屋の外部に設置された集中管理装置からの履歴情報の収集要求に応じて、前記集中管理装置内部の入退室履歴記憶部に履歴情報を送信し、前記履歴情報を前記入退室履歴記憶部に送信後、前記保持していた履歴情報を消去する機能を有することを特徴としている。前記入退室制御装置には、前記入退室の履歴情報を保持する記憶部が含まれる。  
【００３１】
本発明の入退室管理システムの前記生体情報認証装置は、前記利用者個人の前記生体情報と前記登録生体情報とを照合した後、前記利用者個人の前記生体情報と前記登録生体情報とを保持しないことを特徴としている。
【００３２】
前記生体情報と前記登録生体情報は、揮発性の記憶媒体である半導体メモリ等に一時的に保持され、照合した後、直ちに消去されるべきものである。ただし、不揮発性の記憶媒体である磁気記録媒体や、強誘電体を用いた半導体メモリであっても使用することは、可能である。いずれの場合も照合するまでの間、保持されれば良い。
【発明の効果】
【００３３】
本発明により、入退室時に利用者の個人認証を行う際にその都度ネットワークを介してＩＤ情報および生体情報を集中管理装置に対して要求する必要なく、ネットワークの状態に依らずに入退室の制御が可能となる入退室管理装置およびそれを用いた入退室管理システムの提供が可能となった。また、本発明により、履歴情報を各部屋内部に設置された入退室制御装置内部の記憶部に一時的に保持しておくことで、ネットワークに障害が発生した場合でも、ネットワーク復旧後に履歴情報を更新することができる入退室管理システムの提供が可能となった。
【００３４】
さらに、本発明により、ネットワークを介して、集中管理装置に格納された全利用者の生体情報の中から該当する利用者のＩＤ情報と対応した生体情報を検索する必要がなくなるため、照合時間が短くなり、利用者が入退室をする際に煩わしさを感じるという問題が解消される入退室管理装置およびそれを用いた入退室管理システムの提供が可能となった。
【００３５】
また、本発明により、部屋の外部に設置された生体情報認証装置に生体情報を保持しないため、生体情報認証装置本体が盗まれる等しても、利用者個人の生体情報が外部に流出する危険性がない高いセキュリティを実現できる入退室管理装置およびそれを用いた入退室管理システムの提供が可能となった。
【発明を実施するための最良の形態】
【００３６】
以下、図面を参照して本発明の実施の形態を説明する。
【００３７】
図１は、本発明の実施の形態における入退室管理システムの構成を示すブロック図である。
【００３８】
本発明の入退室管理システムは、利用者が入退室をおこなう部屋４の屋内に設置される入退室制御装置６と、部屋４とは異なる場所に設置される集中管理装置８が、ネットワーク１３を介して接続される構成となっている。
【００３９】
集中管理装置８は、入退室履歴を保存するための入退室履歴記憶部９と、利用者のＩＤ情報と生体情報を登録する制御を行う情報登録制御部１０により構成される。
【００４０】
情報登録制御部１０は、登録すべき利用者の個人ＩＤを入力するためのＩＤ情報登録装置１１と、登録すべき利用者の生体情報を入力するための生体情報登録装置１２に接続されており、ＩＤ情報登録装置１１から入力される利用者の個人ＩＤ、および生体情報登録装置１２から入力される利用者の生体情報を入退室制御装置６の記憶部１６に送信する制御を行う。
【００４１】
入退室制御装置６は、制御部１５と記憶部１６により構成されている。記憶部１６は、情報登録制御部１０から送信される個人ＩＤおよび生体情報を１対１に関連付けて登録ＩＤ情報および登録生体情報として記憶する。
【００４２】
制御部１５は、部屋４内の利用者が部屋４から退室する際に、利用者の保持するカード１４から個人ＩＤ１４Ａを読み取るための退室用カードリーダ１と、部屋４外の利用者が入室する際に、前記カード１４から前記個人ＩＤ１４Ａを読み取るための入室用カードリーダ２と、利用者個人の肉体的特徴を示す生体情報を照合するための生体情報認証装置３と接続され、さらに、部屋４に設置された扉５の鍵の施錠開錠を行うことによって、入退室の制限を行う施開錠部７に接続され、それぞれ信号の受信あるいは送信を行う。
【００４３】
以下、本発明の入退室制御装置とそれを用いた入退出管理システムの具体的構成とその作用をさらに詳述する。
【００４４】
図１に示す入退室管理システムにおいて、部屋４への入退室を希望する利用者に対し、入退室に先立って、ＩＤ情報登録装置１１に利用者の保持するカード１４に格納される個人ＩＤ１４Ａを読み取らせる。この時、情報登録制御部１０により入退室制御装置６の記憶部１６に対してカード１４に格納されている利用者の個人ＩＤ１４Ａが送信され、登録ＩＤ情報１６Ａとして記憶部１６に格納される。
【００４５】
次に、生体情報登録装置１２に利用者個人の肉体的特徴を示す個人生体情報１４Ｂを読み取らせる。この時、情報登録制御部１０により入退室制御装置６の記憶部１６に対して利用者の個人生体情報１４Ｂが送信され、前記個人生体情報１４Ｂは、前記個人ＩＤ１４Ａと１対１に関連付けられて登録生体情報１６Ｂとして記憶部１６に格納される。すなわち、登録生体情報１６Ｂと登録ＩＤ情報１６Ａとは、１対１に対応するように関連付けられている。
【００４６】
あらかじめ前述の登録を完了している利用者が部屋４に入室しようとして、施錠されている扉５を開錠するために、利用者自身が保持するカード１４に格納される個人ＩＤ１４Ａを入室用カードリーダ２に読み取らせる。続いて、入室用カードリーダ２は、読み取る利用者の個人ＩＤ１４Ａを制御部１５に送信する。
【００４７】
制御部１５は、入室用カードリーダ２から送信される個人ＩＤ１４Ａと記憶部１６に格納される登録ＩＤ情報１６Ａとを照合する。照合の結果、個人ＩＤ１４Ａと登録ＩＤ情報１６Ａが符合する。符合を受けて、制御部１５は個人ＩＤ１４Ａと符合する登録ＩＤ情報１６Ａと１対１に対応する登録生体情報１６Ｂを記憶部１６から検索し、生体情報認証装置３に送信する。
【００４８】
利用者は、生体情報認証装置３に利用者個人の肉体的特徴を示す個人生体情報１４Ｂを読み取らせる。生体情報認証装置３は、読み取る個人生体情報１４Ｂと制御部１５から送信される登録生体情報１６Ｂを比較照合し、照合処理が終了後速やかに、読み取る個人生体情報１４Ｂと制御部１５から送信される登録生体情報１６Ｂを生体情報認証装置３内部から消去する。
【００４９】
照合結果は制御部１５に送信され、個人生体情報１４Ｂと登録生体情報１６Ｂが符合するので、制御部１５は施開錠部７を制御し扉５の開錠を行い、利用者は部屋４に入室が可能となる。この時、制御部１５は利用者の入室履歴を入退室履歴情報１６Ｃとして記憶部１６に格納する。利用者が入室後、扉５は再び施錠される。
【００５０】
利用者が部屋４から退室しようとして、施錠された扉５を開錠するために、利用者自身が保持するカード１４に格納される個人ＩＤ１４Ａを退室用カードリーダ１に読み取らせる。退室用カードリーダ１は読み取るカード１４に格納されている利用者の個人ＩＤ１４Ａを制御部１５に送信する。
【００５１】
制御部１５は、記憶部１６に格納される登録ＩＤ情報１６Ａと退室用カードリーダ１から送信される個人ＩＤ１４Ａを照合する。照合の結果、個人ＩＤ１４Ａと登録ＩＤ情報１６Ａとが符合するので、制御部１５は施開錠部７を制御し扉５の開錠を行い、利用者は部屋４から退室が可能となる。この時、制御部１５は利用者の退室履歴を入退室履歴情報１６Ｃとして記憶部１６に格納する。
【００５２】
集中管理装置８は、入退室制御装置６の制御部１５に対して定期的に入退室履歴情報１６Ｃの収集要求を行い、制御部１５は記憶部１６から入退室履歴情報１６Ｃを集中管理装置８に送信する。制御部１５から送信される入退室履歴情報１６Ｃは入退室履歴記憶部９に格納される。
【００５３】
集中管理装置８は、制御部１５から送信される入退室履歴情報１６Ｃが入退室履歴記憶部９に正常に格納されることを制御部１５に通知する。通知を受ける制御部１５は、記憶部１６から送信済みの入退室履歴情報１６Ｃを消去する。
【００５４】
本発明の実施の形態における入退室管理システムでは、集中管理装置８が１台に対して、入退室制御装置６を１台のみネットワークを介して接続される例を示したが、本発明の好ましい形態においては、１台の集中管理装置８に対して必要とする複数の入退室制御装置６が接続される構成であってもよい。このことにより、複数の部屋の一元管理が可能となる。
【００５５】
さらに、本発明の実施の形態における入退室管理システムでは、カード１４を利用者の保持する記録媒体とした例を示したが、個人ＩＤを格納することが可能な記憶媒体であれば、カード形状に限定されるものではない。さらに言えば、情報記録媒体として磁気カードやＩＣカード等のカードに限定する必要はなく、コイン形状やその他の形状の電子タグ、個人ＩＤを記憶させる記録媒体を有する携帯電話等であっても良いことは当然である。
【００５６】
以上、図面を用いて本発明の実施の形態を説明したが、本発明は、これらの実施の形態に限定されるものではなく、本発明の要旨を逸脱しない範囲で、部材や構成の変更があっても、本発明に含まれる。
【００５７】
例えば、前記実施の形態では、部屋への入退室を扉の開錠・施錠という形で制限する構成となっているが、機器の使用状況によっては、必ずしもそのような構造である必要はなく、例えば、扉が設置しにくい広い敷地への入退場の場合には、入退場が不許可の場合には警報機を鳴動させたり、守衛室に通報するなどの構成であっても良く、そのような構成についても本発明の実施の形態をなすことは言うまでもない。すなわち、当業者であれば、当然なしえるであろう各種変形や修正もまた本発明に含まれる。
【図面の簡単な説明】
【００５８】
【図１】本発明の実施の形態における入退室管理システムの構成を示すブロック図。
【図２】従来例１の入退室管理システムの構成を示すブロック図。
【図３】従来例２の入退室管理システムの構成を示すブロック図。
【符号の説明】
【００５９】
１    退室用カードリーダ
２    入室用カードリーダ
３    生体情報認証装置
４    部屋
５    扉
６    入退室制御装置
７    施開錠部
８    集中管理装置
９    入退室履歴記憶部
１０    情報登録制御部
１１    ＩＤ情報登録装置
１２    生体情報登録装置
１３    ネットワーク
１４    カード
１４Ａ    個人ＩＤ
１４Ｂ    個人生体情報
１５    制御部
１６    記憶部
１６Ａ    登録ＩＤ情報
１６Ｂ    登録生体情報
１６Ｃ    入退室履歴情報
２１    退室用カードリーダ
２２    入室用カードリーダ
２３    生体情報認証装置
２４    部屋
２５    扉
２６    施開錠部
２７    集中管理装置
２８    記憶部
２８Ａ    全利用者の登録ＩＤ情報
１２８Ａ    １名の利用者の登録ＩＤ情報
２８Ｂ    全利用者の登録生体情報
１２８Ｂ    １名の利用者の登録生体情報
２９    ネットワーク
３０    カード
３０Ａ    個人ＩＤ
３０Ｂ    個人生体情報
３１    制御部
４１    退室用カードリーダ
４２    入室用カードリーダ
４３    生体情報認証装置
４４    部屋
４５    扉
４６    施開錠部
４７    制御部
４８    カード
【図１】
2009281035.tif 000003
【図２】
2009281035.tif 000004
【図３】
2009281035.tif 000005